(57)【特許請求の範囲】
【請求項１】
上側甲皮（４０）と、前記甲皮（４０）の下端縁部に縫着される中底（３０）と、前記中底（３０）の下部に付着される外底（１０）とを含むボウリングシューズにおいて、
前記外底（１０）の一部をなし、容易に曲がるように前方底面に溝（１１ａ）が多数形成されている外底本体（１１）と、前記外底本体（１１）の前方下部に付着され、多数の部分に分離されなくて一体的になっており、容易に屈曲するようにする多数の軟弱部分が形成された前方パッド（１２）とを含むことを特徴とする、ボウリングシューズ。
【請求項２】
前記前方パッド（１２）の軟弱部分は多数の貫設スロット（１２ａ）であることを特徴とする、請求項１に記載のボウリングシューズ。
【請求項３】
前記前方パッド（１２）の軟弱部分は底面に凹設された多数の溝（１２ｂ）または上面に凹設された多数の溝（１２ｃ）であることを特徴とする、請求項１に記載のボウリングシューズ。
【請求項４】
前記前方パッド（１２）が前記外底本体（１１）に着脱式で付着されるために、前記前方パッド（１２）と前記外底本体（１１）の間に、前記外底本体（１１）の横方向溝（１１ａ）及び前記前方パッド（１２）の軟弱部分に対応する線によって多数の部分に分離されているベルクロ（２０）が付着されていることを特徴とする、請求項１に記載のボウリングシューズ。
【請求項５】
前記前方パッド（１２）が前記外底本体（１１）に着脱式で付着されるために、前記前方パッド（１２）と前記外底本体（１１）の間に、前記外底本体（１１）の横方向溝（１１ａ）及び前記前方パッド（１２）の軟弱部分に対応する線の一部にだけスロット（２３）が貫設されて一体に形成されたベルクロ（２０’）が付着されていることを特徴とする、請求項１に記載のボウリングシューズ。
【請求項６】
上側甲皮（４０）と、前記甲皮（４０）の下端縁部に縫着される中底（３０）と、前記中底（３０）の下部に付着される外底（１０）とを含むボウリングシューズにおいて、
前記外底（１０）の一部を成し、容易に曲がるようにする溝が形成されていない外底本体と、前記外底本体の前方下部に付着され、多数の部分に分離されなくて一体的になっており、容易に屈曲するように多数の貫設スロット（１２ａ）または上面の溝（１２ｃ）が形成されている前方パッド（１２）とを含むことを特徴とする、ボウリングシューズ。
【請求項７】
上側甲皮（４０）と、前記甲皮（４０）の下端縁部に縫着される中底（３０）と、前記中底（３０）の下部に付着される外底（１０）とを含むボウリングシューズにおいて、
前記外底（１０）の一部をなす外底本体と、前記外底本体の前方下部に付着され、容易に屈曲するように、底面から見て内側が後方に位置し、外側が前方に位置する傾斜方向に全幅にわたって形成された多数の切断線（１２ｄ）によって多数の部分に分離されている前方パッド（１２）とを含むことを特徴とする、ボウリングシューズ。
【発明の詳細な説明】
【技術分野】
【０００１】
本発明はボウリングするときに着用するボウリングシューズに係り、より詳しくはボウリングの際、着用者の体重によって足に加わる衝撃を吸収し、外底とボウリング場の床の間での滑り発生を防止するとともに、外底の屈曲柔軟性を向上させて着用者が楽な履き心地を感じる状態で自分が望むボールを投げることができ、ボールを投げた後にも足の前部に強く力を込めなくても自然に平常の姿勢に復帰することができるようにするボウリングシューズに関する。
【背景技術】
【０００２】
ボウリング（ｂｏｗｌｉｎｇ）は所定の長さを持つレーンにボウリング用ボールを転がしてレーンの前方に所定の配置間隔で立てられた１０個のボウリングピンを倒す競技であり、非常に簡単でおもしろくて健康に有益な運動であるので、老若男女のだれにも脚光を浴びている。
【０００３】
このように、ボウリングはだれでも易しく習って楽しむことができるスポーツで、ボウリング用ボールを正確に転がして、レーンに立てられたボウリングピンをできるだけ多く倒さなければならない競技であるため、前記ボウリングピンを多く倒すためには、直線上に設置されたレーンにボウリング用ボールを投げる動作が正確になされなければならない。
【０００４】
前記ボウリング用ボールをレーンに投げる動作を調べると、上体を前方に少し低めた状態で両手でボウリング用ボールを握って前方に身体を移動させながらボウリング用ボールを握った腕を後に反らした後、前記反らされた腕の弾力を用いてボウリング用ボールをレーンに投げる。
【０００５】
この際、最後に前方に踏み出して体重が加わる左足はスライドしなければならなく、後側に位置する右足はノンスリップ機能を果たすとともに足の前方部が適宜屈曲しながら力を込めることができる場合に安定した姿勢でボールを転がすことができるようになる。もし、ボウリングする人が左利きの場合には、反対に右足を前方に踏み出し、左足が後側に位置する、
このようにボウリングするとき、スライドの防止及びレーン（ｌａｎｅ）の保護のために必ずボウリングシューズを履かなければならない。この際、ボウリングの特性に合う多様な形態のボウリングシューズが使われており、足に圧迫を与えないながらも楽な状態で長期間ボウリング競技が可能なものが良いボウリングシューズである。
【０００６】
本発明者は、クッション特性が良くて競技中に右足の滑りが発生しなく、さらにボウリング用ボールを投げる瞬間に右足の前方部がなだらかに屈曲しながら踵部が自然に上げられるようにしたボウリングシューズを開発し、これを実用新案で出願した（特許文献１参照）。
【０００７】
前記先出願のボウリングシューズは、図１及び図２に示すように、上側甲皮４０の下端縁部に中底３０の縁部が互いに縫着され、中底３０の底面後方に中間底５０が付着され、前記中底３０の前方の底面と中間底５０の底面に外底６０が付着されている。そして、前記外底６０は、クッション特性の外底本体６１と、前記外底本体６１の前方部に付着され、滑り防止材でなっている前方パッド６２と、外底本体６１の後方に付着されている踵部６３と、前方パッド６２の前部の摩耗を防止するために耐磨耗性材でなったパッド先端部６４とからなっている。
【０００８】
そして、図２に示すように、前記外底本体６１及び前方パッド６２の底面には横方向に外底本体６１まで刻み込まれた逆Ｖ形溝６０ａが多数形成されている。
【０００９】
前記ボウリングシューズは、外底本体６１がクッション材でなって衝撃を吸収するので、着用者に加わる衝撃を緩和して履き心地が向上し、外底本体６１に滑り防止材でなった前方パッド６２が付着されているので、滑りが多く発生しない。
【００１０】
同時に、外底６０の前方部が逆Ｖ形溝６０ａによって柔軟に曲がることができるようになっているので、着用者が足裏で衝撃を感じないで楽にボールを投げることができ、ボールを投げる瞬間に後側に位置する右足の前部が柔軟に屈曲しながら足指部に力を込めることができ、これにより所望のボウリング姿勢で所望のコースのボールを投げることができる。
【００１１】
しかし、前述した先出願のボウリングシューズは、外底６０の前方部に形成された逆Ｖ形溝６０ａによってあまりにも易しく屈曲するので、その分だけ復元力が低いという欠点が見付けられた。このように、外底６０の前方部が屈曲した後に復元力があまり低いという欠点のため、その分だけ足の前部に力を必要以上に大きく込めることになるため、長期間ボウリングしてみると、足指部で痛症を感じる問題点が発生した。
【先行技術文献】
【特許文献】
【００１２】
【特許文献１】韓国公開実用新案公報第２０−２０１０−０００３７３３号
【発明の概要】
【発明が解決しようとする課題】
【００１３】
したがって、本発明は前記のような従来のボウリングシューズの外底の問題点を解決するためになされたもので、本発明の目的は、外底の前方部が柔軟に屈曲するだけでなく、多少の復元力を持っているため、屈曲後に復帰するとき、着用者の足指部に大きな力を込めなくても復帰できるようにすることで、足指部に痛症が生じなく、一層便利にボウリングを楽しむことができるようにするボウリングシューズを提供することにある。
【課題を解決するための手段】
【００１４】
前記目的を達成するための本発明のボウリングシューズは、上側甲皮と、前記甲皮の下端縁部に縫着される中底と、前記中底の下部に付着される外底とを含むボウリングシューズであって、前記外底の一部をなし、容易に曲がるように前方底面に溝が多数形成されている外底本体と、前記外底本体の前方下部に付着され、多数の部分に分離されなくて一体的になっており、容易に屈曲するようにする多数の軟弱部分が形成された前方パッドとを含むことを特徴とする。
【００１５】
また、本発明のボウリングシューズは、前記前方パッドの軟弱部分が多数の貫設スロットであってもよい。
【００１６】
また、本発明のボウリングシューズは、前記前方パッドの軟弱部分が底面に凹設された多数の溝または上面に凹設された多数の溝であってもよい。
【００１７】
また、本発明のボウリングシューズは、前記前方パッドが前記外底本体に着脱式で付着されるために、前記前方パッドと前記外底本体の間に、前記外底本体の横方向溝及び前記前方パッドの軟弱部分に対応する線によって多数の部分に分離されているベルクロが付着されることができる。
【００１８】
また、本発明のボウリングシューズは、前記前方パッドが前記外底本体に着脱式で付着されるために、前記前方パッドと前記外底本体の間に、前記外底本体の横方向溝及び前記前方パッドの軟弱部分に対応する線の一部にだけスロットが貫設されて一体に形成されたベルクロが付着されることができる。
【００１９】
また、前記目的を達成するための本発明のボウリングシューズは、上側甲皮と、前記甲皮の下端縁部に縫着される中底と、前記中底の下部に付着される外底とを含むボウリングシューズであって、前記外底の一部を成し、容易に曲がるようにする溝が形成されていない外底本体と、前記外底本体の前方下部に付着され、多数の部分に分離されなくて一体的になっており、容易に屈曲するように多数の貫設スロットまたは上面の溝が形成されている前方パッドとを含むことを特徴とする。
【００２０】
また、前記目的を達成するための本発明のボウリングシューズは、上側甲皮と、前記甲皮の下端縁部に縫着される中底と、前記中底の下部に付着される外底とを含むボウリングシューズであって、前記外底の一部をなす外底本体と、前記外底本体の前方下部に付着され、容易に屈曲するように、底面から見て内側が後方に位置し、外側が前方に位置する傾斜方向に全幅にわたって形成された多数の切断線によって多数の部分に分離されている前方パッドとを含むことを特徴とする。
【発明の効果】
【００２１】
本発明によるボウリングシューズは、外底本体及び前方パッドにスロットまたは溝が形成されて前方部が柔軟に屈曲するだけでなく、前記前方パッドのスロットまたは長細溝によってパッドが多数の部分に完全に分離されているものではないので、前方パッドが多少の復元力を持っているため、ボウリングシューズが屈曲した後に復帰するとき、着用者の足指部に大きな力を込めなくても弾力的に復帰することができる。
【００２２】
また、前方パッドが全幅にわたって傾斜方向に長く形成されて前方パッドが多数の部分に分離されている場合にも長手方向への復元力を持つので、着用者の足指部に大きな力を込めなくても前方パッドが弾力的に復帰することができる。
【００２３】
したがって、本発明のボウリングシューズは、足指部に無理な力が加わらないので、長期間ボウリングを行っても足指部に痛症が生じなくて一層便利にボウリングを楽しむことができる効果を発揮する。
【００２４】
また、ベルクロによって前方パッドが着脱可能になった場合には、前方パッドの底面が摩耗したとき、前方パッドのみを新しいもので入れ替えることができるので、より長く使うことができる。
【図面の簡単な説明】
【００２５】
【図１】従来のボウリングシューズの分解斜視図である。
【図２】従来のボウリングシューズの使用状態を示す側面図である。
【図３ａ】本発明の一実施例によるボウリングシューズを下から見た斜視図である。
【図３ｂ】本発明の他の実施例によるボウリングシューズを下から見た斜視図である。
【図３ｃ】本発明のさらに他の実施例によるボウリングシューズを下から見た斜視図である。
【図３ｄ】本発明のさらに他の実施例によるボウリングシューズを下から見た斜視図である。
【図３ｅ】本発明のさらに他の実施例によるボウリングシューズを下から見た斜視図である。
【図３ｆ】本発明のさらに他の実施例によるボウリングシューズを下から見た斜視図である。
【図３ｇ】本発明のさらに他の実施例によるボウリングシューズを下から見た斜視図である。
【図３ｈ】本発明のさらに他の実施例によるボウリングシューズを下から見た斜視図である。
【図４】本発明の一実施例によるボウリングシューズの分解斜視図である。
【図５】本発明の一実施例によるボウリングシューズの側面図である。
【図６ａ】本発明の一実施例によるボウリングシューズの使用状態を示す側面図である。
【図６ｂ】本発明の他の実施例によるボウリングシューズの使用状態を示す側面図である。
【図６ｃ】本発明のさらに他の実施例によるボウリングシューズの使用状態を示す側面図である。
【図６ｄ】本発明のさらに他の実施例によるボウリングシューズの使用状態を示す側面図である。
【図７】本発明の一実施例によるボウリングシューズの使用中の前方パッドの状態を示す底面図である。
【図８】本発明のさらに他の実施例によるボウリングシューズの分解斜視図である。
【図９】本発明のボウリングシューズの他の実施例のベルクロを示す斜視図である。
【図１０】図９のベルクロを使ったボウリングシューズの側面図である。
【発明を実施するための形態】
【００２６】
以下、本発明の好ましい実施例を添付図面に基づいて詳細に説明する。
【００２７】
図３〜図５に示すように、本発明のボウリングシューズは、上側の甲皮４０と、甲皮４０の下端縁部に縫着される中底３０と、前記中底３０の下部に付着される外底１０とを含む。中底３０と外底１０の間に図１のような中間底５０が挟まれることができる。
【００２８】
本発明の一実施例によるボウリングシューズは、前記外底１０の一部を成す外底本体１１と、前記外底本体１１の前方下部に付着される前方パッド１２とを含む。
【００２９】
外底本体１１はクッション（ｃｕｓｈｉｏｎ）特性の素材でなり、前記外底本体１１の前方部に付着されている前方パッド１２は滑り防止材でなっている。具体的に、外底本体１１はＥＶＡまたはパイロンスポンジ材のようなクッション材で形成され、前方パッド１２は床との間で滑りが発生しないように床によく付く生ゴム材で形成されている。
【００３０】
そして、前記外底本体１１の後方には滑り防止材でなった踵部１３が別に製作されて付着されている。踵部１３は床との間で滑りが発生しないハイカーゴム材を使うことが好ましい。
【００３１】
前方パッド１２と踵部１３は底面に滑りが発生しないようにする多様な形状の凹凸が形成できる。
【００３２】
図４に示すように、外底本体１１には、容易に曲がることができるように、前方底面に長細溝１１ａが多数形成されている。外底本体１１の長細溝１１ａは図示のように横方向に形成することもでき、図示されていないが傾斜方向に形成することもできる。
【００３３】
外底１０の前方パッド１２は、図３ａ〜図３ｄに示すように、屈曲し易くする多数の軟弱部分が長く形成されているが、図３ａ及び図３ｃに示すように縁部には軟弱部分を形成しないことで、多数の部分に分離しないで一体にすることにより、前方パッドが屈曲した後の復元力を向上させている。図７は、図３ａの前方パッド１２が屈曲された状態の底面を示す。図３ｂ及び図３ｄに示す実施例の場合には、前方パッド１２が切断線１２ｄによって多数の部分に分離されるが、切断線１２ｄが傾斜方向に形成されているので、長手方向には多少の弾性を持つことにより、前方パッド１２が屈曲した後に復元力を持つようになる。
【００３４】
前記前方パッド１２の軟弱部分は、図６ａに示すように、長く貫設された多数のスロット１２ａ、あるいは図６ｂ及び図６ｃに示すように、底面または上面に浅くて長く凹設された多数の長細溝１２ｂ、１２ｃである。切断線が前方パッド１２の軟弱部分となることもできる。図３ａ及び図３ｃは前方パッド１２の軟弱部分としてスロット１２ａの場合の実施例を示し、図３ｂ及び図３ｄは前方パッド１２の軟弱部分として傾斜方向に伸びた切断線１２ｄの場合の実施例を示している。前記スロット１２ａ及び切断線１２ｄの代わりに長細溝１２ｂ、１２ｃを形成することもできる。
【００３５】
図３ｂの実施例は切断線１２ｄが底面から見て内側（右側ボウリングシューズの場合は左側）が後方に位置し、外側（右側ボウリングシューズの場合は右側）が前方に位置する傾斜方向に形成された実施例を示し、図３ｄの実施例は切断線１２ｄが底面から見て中央が前方に位置し、内側及び外側が後方に位置する逆Ｖ形に形成された実施例を示す。
【００３６】
図３ｆ〜図３ｈに示す実施例においては、本発明の前方パッド１２０は一体的になった縁部１２１と中央部１２２とに分離されており、前方パッド中央部１２２には屈曲しやすくなるようにする多数の軟弱部分が長く形成されている。
【００３７】
この実施例の場合においても、前記軟弱部分は図６ａ〜図６ｄに示すような貫設スロット１２ａであることができ、あるいは切断線または長細溝であることもできる。
【００３８】
図面に示すボウリングシューズは左側ボウリングシューズを例として示したが、右側ボウリングシューズに対しても左側ボウリングシューズの対称に構成することができる。
【００３９】
前述した実施例において、前記前方パッドの軟弱部分は、図３ａ及び図３ｆに示すように、底面から見て横方向に形成することもでき、図３ｂ、図３ｃ、図３ｇ及び図３ｈに示すように、底面から見て内側（右側ボウリングシューズの場合に左側）が後方に位置し、外側（右側ボウリングシューズの場合に右側）が前方に位置する傾斜方向に形成されることもでき、図３ｄに示すように、底面から見て中央が前方に、内側及び外側が後方に位置する逆Ｖ形に形成することもできる。
【００４０】
また、前記前方パッドの軟弱部分は、図３ｅ及び図３ｇのように、前方の親足指部にだけ形成できる。
【００４１】
本発明の他の実施例は、図８〜図１０に示すように、前記前方パッド１２が外底本体１１に着脱式で付着されるために、前方パッド１２と外底本体１１の間にベルクロ（Ｖｅｌｃｒｏ（登録商標））２０、２０’が付着されている。
【００４２】
一実施例によるベルクロ２０は、図８に示すように、外底本体１１の横方向溝１１ａ及び前方パッド１２の軟弱部分に対応する線で切断されて多数の部分に分離されている。ベルクロ２０は外底本体１１の横方向溝１１ａ及び前方パッド１２のスロット１２ａを覆わないように多数の部分に分離され、雌型ベルクロ２１の切片は外底本体１１に接着され、雄型ベルクロ２２の切片は前方パッド１２に接着される。
【００４３】
また、図３ｆ及び図３ｈにおいて、前記前方パッド１２０の中央部１２２は、図８のベルクロ２０のように、幾つかの部分に分離されたベルクロによって外底本体１１に着脱可能に付着され、縁部１２１は外底本体１１に直接付着されて固定されるようにすることができる。
【００４４】
本発明の他の実施例は、図６ｄに示すように、外底本体１１には長細溝を全く形成せず、前方パッド１２にだけ、屈曲し易くするために、前述した多様に構成された多数のスロット１２ａまたは長細溝１２ｃを形成することができる。この場合にも、外底本体１１に溝が全く形成されていないため復元力が向上する。
【００４５】
また、本発明の他の実施例は、図３ｂ及び図３ｄに示すように、前方パッド１２が多数の部分に分離されたと言っても、軟弱部分、つまり切断線１２を傾斜方向に形成することで、外底前部の屈曲後の復元力を向上させることができる。
【００４６】
前記のように構成された本発明のボウリングシューズは次のように作用する。
【００４７】
本発明のボウリングシューズは、外底本体１１がクッション材で構成されて衝撃を吸収するので、着用者が自重による衝撃を受けなく、さらに前方パッド１２、１２’がボウリング場の床によく付く素材でなるので、ボウリング場のレーンを走るとき、滑りが発生しなくて軽快なランニングが可能である。
【００４８】
また、ボールを投げるための最終ステップで、後側に位置する右足のボウリングシューズは、図６ａ〜図６ｄに示すように、外底１０の前部が曲がる。この際、外底本体１１の長細溝１１ａと、前方パッド１２、１２０の軟弱部分であるスロット１２ａ、長細溝１２ｂ、１２ｃまたは切断線１２ｄとによってボウリングシューズの前部が容易に曲がる。これにより、右足の動作が自然になるとともにボールを投げる動作が自然になることにより、着用者が所望のボールを投げることができ、特に滑りを防止する前方パッド１２によって右足に力を込めることができるので、所望のボウリング姿勢を表出することができ、これにより所望のコースに沿ってボールを正確に投げることができる。
【００４９】
このように、本発明のボウリングシューズは外底本体１１がクッション材でなって衝撃を吸収するので、着用者に衝撃を加えなくて履き心地が向上し、外底本体１１の前部に滑り防止材でなった前方パッド１２が接着されているので、滑りが発生しない。
【００５０】
同時に、本発明は、外底１０の前方部が屈曲するとき、弾力なしにまったく屈曲するものではなく、どのくらい弾力的に屈曲する。すなわち、外底本体１１の長細溝１１ａがある場合、前方パッド１２が軟弱部分であるスロット１２ａまたは長細溝１２ｂ、１２ｃによって完全に分離されないで互いに連結されている構成により外底１０の前部が弾力を受けるようになっており、さらに前方パッド１２０は一体的になった縁部１２１と中央部１２２で構成することにより、一体的になった縁部１２１によって弾力を受けるようになっている。
【００５１】
これら実施例のボウリングシューズは、前方パッド１２が分離されているものではなく、一体的になって全体的に弾性を維持しているので、多少の復元力を持っている。
【００５２】
また、外底本体１１には長細溝１１ａを形成しなくて前方パッド１２にだけスロット１２ａを形成した実施例の場合にも外底本体１１の弾力を向上させて外底１０の前部の復元力を向上させている。
【００５３】
そして、図３ｂ及び図３ｄに示すように、前方パッド１２に傾斜方向に切断線１２ｄが形成されている実施例の場合には、長手方向に多少の弾力を受けるので、これにより外底１０の前部の復元力を向上させている。
【００５４】
したがって、ボウリングシューズの前部が図６ａ〜図６ｄのように屈曲した後に復帰するとき、着用者の足指部に大きな力を込めなくても弾力的に復帰することができ、足指部に無理な力が加わらないので、長期間ボウリングをしても足指部に痛症が生じないので一層便利にボウリングを楽しむことができる。
【００５５】
図８及び図９に示すように、前方パッド１２がベルクロ２０、２０’によって外底本体１１に着脱式で付着された場合には、前方パッド１２が摩耗したとき、新しいもので入れ替えることができるので経済的である。図８のベルクロ２０は多数の部分に分離されており、図９のベルクロ２０’は一部だけ貫設スロット２３が形成されているので、ベルクロ２０、２０’によってボウリングシューズの前部の屈曲柔軟性に差し支えを与えない。
【００５６】
また、ボウリングするとき、外底１０の前部が前方にだけ屈曲するものではなく親足指側にも屈曲するので、つまり親足指部で対角線方向に屈曲するので、前方パッドの軟弱部分が図３ｅ及び図３ｇに示すように親足指部にだけ傾斜方向に形成された場合、あるいは前方パッドの軟弱部分が図３ｂ、図３ｄ及び図３ｈに示すように傾斜方向に形成された場合、着用者に楽に作用する。この場合にも、外底前部は長手方向に弾力を受けるので、多少の復元力を持つようになる。
【００５７】
以上、本発明を図示の具体例について詳細に説明したが、本発明の思想及び範囲内で多様に変更または変形することができるのは本発明が属する技術分野の当業者には明らかなものであり、よってこのような変更または変形は添付の特許請求範囲に属するものとして見なすべきである。
【産業上の利用可能性】
【００５８】
本発明は、外底の前方部が柔軟に屈曲するだけでなく、多少の復元力を持っているため、屈曲後に復帰するとき、着用者の足指部に大きな力を込めなくても復帰できるようにすることで、足指部に痛症が生じなく、一層便利にボウリングを楽しむことができるようにするボウリングシューズに適用可能である。
【符号の説明】
【００５９】
１０    外底
１１    外底本体
１１ａ    横方向溝
１２    前方パッド
１２ａ    スロット
１２ｂ、１２ｃ    長細溝
１２ｄ    切断線
１３    踵部
２０、２０’    ベルクロ
２１    雌型ベルクロ
２２    雄型ベルクロ
２３    スロット
３０    中底
４０    甲皮
５０    中間底
６０    外底
６０ａ    逆Ｖ形溝
６１    外底本体
６２    前方パッド
６３    踵部
６４    パッド先端部
１２０    前方パッド
１２１    縁部
１２２    中央部
【図１】
0005431554.tif 000002
【図２】
0005431554.tif 000003
【図３ａ】
0005431554.tif 000004
【図３ｂ】
0005431554.tif 000005
【図３ｃ】
0005431554.tif 000006
【図３ｄ】
0005431554.tif 000007
【図３ｅ】
0005431554.tif 000008
【図３ｆ】
0005431554.tif 000009
【図３ｇ】
0005431554.tif 000010
【図３ｈ】
0005431554.tif 000011
【図４】
0005431554.tif 000012
【図５】
0005431554.tif 000013
【図６ａ】
0005431554.tif 000014
【図６ｂ】
0005431554.tif 000015
【図６ｃ】
0005431554.tif 000016
【図６ｄ】
0005431554.tif 000017
【図７】
0005431554.tif 000018
【図８】
0005431554.tif 000019
【図９】
0005431554.tif 000020
【図１０】
0005431554.tif 000021